(57)【要約】【課題】  衣服全体の見栄えを向上させることができる衣服用ハンガーを提供する。【解決手段】  本発明である衣服用ハンガー（１０）は、平板状に形成されており、衣服の内側に隠れて配置される。この衣服用ハンガー（１０）は、衣服の身幅方向に延びる本体部（１１）と、本体部（１１）から衣服の着丈方向に延びて衣服の両肩部をそれぞれ支持する一対の肩支持部（１２）と、を有する。衣服用ハンガー（１０）には、衣服用ハンガー（１０）を吊るすための紐（Ｓ）が固定される穴部（１３）を設けることができる。【選択図】  図１
2020168146.tif 000002
【特許請求の範囲】
【請求項１】
平板状に形成されており、衣服の内側に隠れて配置される衣服用ハンガーであって、
前記衣服の身幅方向に延びる本体部と、
前記本体部から前記衣服の着丈方向に延びて前記衣服の両肩部をそれぞれ支持する一対の肩支持部と、
を有することを特徴とする衣服用ハンガー。
【請求項２】
前記一対の肩支持部は、前記衣服の襟ぐりを避ける位置に配置されることを特徴とする請求項１に記載の衣服用ハンガー。
【請求項３】
前記本体部又は前記肩支持部は、この一部の領域において身幅方向に膨らんだ膨出部を有することを特徴とする請求項１又は２に記載の衣服用ハンガー。
【請求項４】
前記衣服用ハンガーを吊るすための紐が固定される穴部を有しており、
前記穴部は、前記各肩支持部の先端であって、身幅方向における前記衣服用ハンガーの内側に位置する角部に設けられていることを特徴とする請求項１から３のいずれか１つに記載の衣服用ハンガー。
【発明の詳細な説明】
【技術分野】
【０００１】
本発明は、衣服を吊り下げるための衣服用ハンガーに関する。
【背景技術】
【０００２】
特許文献１には、衣服の内部に隠れた状態で衣服を保持する衣服用ハンガーが記載されている。この衣服用ハンガーは、回動可能に接続された一対の棒状部材を有しており、一対の棒状部材の先端には、衣服の肩部を保持する一対の肩支持部がそれぞれ接続されている。一対の肩支持部に固定された紐をフックに引っ掛けることにより、衣服用ハンガーを吊り下げることができる。また、衣服用ハンガーの紐以外の部分を衣服の内部に隠すことにより、衣服だけの外観を視認可能としている。
【先行技術文献】
【特許文献】
【０００３】
【特許文献１】特開２０１８−０８６０５３号公報
【発明の概要】
【発明が解決しようとする課題】
【０００４】
特許文献１に記載の衣服用ハンガーによれば、肩支持部によって衣服の肩部を支持できるだけである。ここで、衣服の内側には、一対の棒状部材がＶ字状に配置されているだけであるため、衣服のうち、肩部を除く部分においては、しわが発生することがある。このため、衣服用ハンガーに衣服をかけたときの衣服の見栄えについては、改善の余地がある。
【課題を解決するための手段】
【０００５】
本発明である衣服用ハンガーは、平板状に形成されており、衣服の内側に隠れて配置される。この衣服用ハンガーは、衣服の身幅方向に延びる本体部と、本体部から衣服の着丈方向に延びて衣服の両肩部をそれぞれ支持する一対の肩支持部と、を有する。
【０００６】
ここで、衣服が襟ぐりを有する場合には、衣服の襟ぐりを避ける位置に一対の肩支持部を配置することができる。本体部又は肩支持部の一部の領域には、身幅方向に膨らんだ膨出部を設けることができる。
【０００７】
衣服用ハンガーには、衣服用ハンガーを吊るすための紐が固定される穴部を設けることができる。この穴部は、各肩支持部の先端であって、身幅方向における衣服用ハンガーの内側に位置する角部に設けることができる。
【発明の効果】
【０００８】
本発明の衣服用ハンガーによれば、一対の肩支持部によって衣服の両肩部を支持することができるとともに、衣服のうち、肩部を除く部分については、身幅方向に延びる本体部に沿わせることができる。したがって、肩部だけでなく、肩部を除く部分についても、しわの発生を抑制でき、衣服全体の見栄えを向上させることができる。
【図面の簡単な説明】
【０００９】
【図１】第１実施形態である衣服用ハンガーを示す正面図である。
【図２】第１実施形態である衣服用ハンガーの使用状態を示す正面図である。
【図３】第１実施形態である衣服用ハンガーに襟付きの衣服を掛けた使用状態を示す正面図である。
【図４】第２実施形態である衣服用ハンガーを示す正面図である。
【図５】第３実施形態である衣服用ハンガーを示す正面図である。
【図６】第４実施形態である衣服用ハンガーを示す正面図である。
【発明を実施するための形態】
【００１０】
（第１実施形態）
図１は、第１実施形態である衣服用ハンガーを示す正面図である。衣服用ハンガー１０は、少なくとも上半身に着用する衣服（以下、単に衣服という）を掛けて使用される。ここで、図１の上下方向は衣服の着丈に対応する方向（以下、着丈方向という）であり、図１の左右方向は衣服の身幅に対応する方向（以下、身幅方向という）である。また、図２は、衣服用ハンガーに衣服を掛けるとともに、衣服用ハンガーを吊るした状態（以下、使用状態という）を示す正面図である。
【００１１】
衣服用ハンガー１０は、本体部１１と、一対の肩支持部１２と、一対の肩支持部１２にそれぞれ形成された穴部１３と、紐Ｓとを備える。衣服用ハンガー１０は、平板状に形成されており、本体部１１及び一対の肩支持部１２は、一体的に形成されている。衣服用ハンガー１０の材質は適宜決めることができ、例えば、衣服用ハンガー１０を透明な材料で形成することができる。また、衣服用ハンガー１０の厚さ（図１の紙面と直交する方向の長さ）は、適宜設定することができる。
【００１２】
本体部１１は、身幅方向において、衣服用ハンガー１０に掛けられる衣服の身幅に対応する長さ（幅）を有する。言い換えると、身幅方向において、本体部１１の一端から他端までの距離は、衣服の身幅に対応する長さとなるように構成されている。また、本体部１１は、着丈方向において所定の長さを有する。
【００１３】
一対の肩支持部１２は、本体部１１の上端であって、身幅方向における本体部１１の両端にそれぞれ設けられている。一対の肩支持部１２は、着丈方向及び身幅方向に対して傾斜しており、一対の肩支持部１２の基端から互いに離れる方向に延びている。したがって、一対の肩支持部１２の先端は、身幅方向において最も離れており、衣服用ハンガー１０に掛けられる衣服の肩部に相当する位置にそれぞれ配置される。これにより、一対の肩支持部１２は、衣服用ハンガー１０の使用状態において衣服の肩部を支持することができる。
【００１４】
衣服用ハンガー１０の使用状態において、一対の肩支持部１２の先端は、衣服の襟ぐりを避けるように配置される。すなわち、衣服用ハンガー１０の使用状態において、一対の肩支持部１２の先端は、身幅方向において衣服の襟ぐりよりも外側に配置される。これにより、衣服用ハンガー１０に掛けられた衣服の襟ぐりから肩支持部１２が露出しないようにすることができる。一方、本体部１１は、衣服の内側に配置されるため、本体部１１も衣服によって隠れる。したがって、衣服用ハンガー１０の全体が衣服によって隠れる。
【００１５】
着丈方向における肩支持部１２の長さ（言い換えれば、本体部１１の上端から肩支持部１２の最上端までの長さ）は、衣服用ハンガー１０の使用状態において、衣服の襟ぐりから本体部１１を露出させない長さに設定されている。具体的には、着丈方向における肩支持部１２の長さを、衣服の襟ぐりの深さ（着丈方向における襟ぐりの長さ）よりも長くすることができる。着丈方向における肩支持部１２の長さを短くしすぎると、本体部１１の上端が襟ぐりから露出してしまうことがある。着丈方向における肩支持部１２の長さを襟ぐりの深さよりも長くすることにより、本体部１１を襟ぐりよりも下方に位置させることができ、襟ぐりから本体部１１が露出してしまうことを防止できる。
【００１６】
身幅方向における一対の肩支持部１２の先端の間隔は、衣服用ハンガー１０の使用状態において、衣服の襟ぐりから肩支持部１２が露出しない長さに設定されている。具体的には、身幅方向における一対の肩支持部１２の先端の間隔は、衣服の襟ぐり幅（身幅方向における襟ぐりの長さ）よりも長くすることができる。これにより、図２に示すように、一対の肩支持部１２の先端は、身幅方向において衣服の襟ぐりよりも外側に配置される。また、着丈方向に対する肩支持部１２の傾斜角度は、衣服用ハンガー１０の使用状態において、衣服の襟ぐりから肩支持部１２が露出しないように適宜設定されている。
【００１７】
穴部１３は、一対の肩支持部１２の先端にそれぞれ設けられている。具体的には、穴部１３は、各肩支持部１２の先端であって、身幅方向における衣服用ハンガー１０の内側に位置する角部に設けられている。
【００１８】
図２に示すように、２つの穴部１３には、フックＨに衣服用ハンガー１０を吊るすための紐Ｓが固定される。例えば、一方の穴部１３には、紐Ｓの一端が結び付けられ、他方の穴部１３には、紐Ｓの他端が結び付けられる。これにより、一対の肩支持部１２に紐Ｓが接続され、紐ＳをフックＨに引っ掛けることで、衣服用ハンガー１０をフックＨに吊るすことができる。紐Ｓは、衣服の外観を見やすくする観点から、透明な材料で形成されていることが好ましい。
【００１９】
なお、フックＨに対して衣服を所望の位置で吊るすことができればよく、この点を考慮して、紐Ｓの長さを適宜設定することができる。また、紐Ｓには、フックＨ及び穴部１３の間における紐Ｓの長さを調整することができる調整構造を設けることができる。この調整構造は、公知の構造を適宜採用することができるが、例えば、ビーズの貫通孔に紐Ｓを通し、紐Ｓに対するビーズの位置を調整することにより、上述した紐Ｓの長さを調整することができる。
【００２０】
上述したように、肩支持部１２の先端は、衣服の襟ぐりから露出しない位置に配置されるため、図２に示すように、紐ＳをフックＨに引っ掛けたときには、紐Ｓの一部が衣服の襟に当接する。ここで、フックＨ及び穴部１３の間の距離によっては、紐Ｓが上方に向かって引っ張られることにより、襟を立たせることができる。これにより、衣服の見栄えを向上させることができる。また、衣服用ハンガー１０の使用状態においては、図２に示すように、衣服のブランド名などのロゴを表示するタグＴを見せることができる。
【００２１】
図３は、衣服用ハンガー１０に襟付きの衣服（例えば、Ｙシャツ）を掛けた使用状態を示す正面図である。図３において、肩支持部１２の先端は、衣服の肩部のうち、袖側の一部を支持している。なお、衣服の肩部に対する肩支持部１２の先端の位置は、適宜決めることができる。例えば、肩支持部１２の先端が、衣服の肩部のうち、襟側の一部を支持することができる。また、肩支持部１２の先端が、衣服の肩部の全体を支持することができる。
【００２２】
図３において、襟付きの衣服を衣服用ハンガー１０に掛けると、衣服の肩部から襟にかけて紐Ｓが当接する。紐Ｓは、フックＨによって引っ張られているため、衣服の肩部に沿って配置されることになり、衣服の肩部のラインを見栄え良くすることができる。また、フックＨによって紐Ｓが上方に向かって引っ張られることにより、衣服の襟を立たせることができ、襟を見栄え良くすることができる。また、衣服用ハンガー１０の使用状態においては、図３に示すように、衣服のブランド名などのロゴを表示するタグＴを見せることができる。
【００２３】
本実施形態によれば、衣服用ハンガー１０の使用状態において、衣服用ハンガー１０の全体を衣服の内部に隠すことができ、衣服の外観を見やすくすることができる。また、衣服用ハンガー１０は、着丈方向及び身幅方向のそれぞれにおいて所定の長さを有する本体部１１を有しているため、この本体部１１を利用することにより、衣服にしわが寄ることを抑制することができる。
【００２４】
具体的には、衣服の一部を本体部１１の平面に沿わせることにより、衣服にしわが寄ることを抑制することができ、衣服の見栄えを向上させることができる。なお、衣服の身幅が本体部１１の幅よりも大きい場合には、例えば、本体部１１の側端部（身幅方向における本体部１１の端部）に沿って衣服の前面を折り込むことにより、衣服の前面にしわが寄ることを抑制することができる。
【００２５】
本実施形態では、紐Ｓを衣服用ハンガー１０に固定するために、穴部１３を設けているが、これに限るものではない。穴部１３の代わりに、紐Ｓを引っ掛けることができる部分（例えば、切り欠き部）を衣服用ハンガー１０に設けることができる。また、紐Ｓを衣服用ハンガー１０に接着させれば、穴部１３を省略することができる。
【００２６】
（第２実施形態）
第２実施形態である衣服用ハンガーについて、図４を用いて説明する。図４は、衣服用ハンガーを示す正面図である。本実施形態の衣服用ハンガー２０は、第１実施形態である衣服用ハンガー１０と同様に、本体部２１と、一対の肩支持部２２と、一対の肩支持部２２にそれぞれ形成された穴部２３とを有する。本体部２１は、第１実施形態で説明した本体部１１と同様の機能を有する。肩支持部２２は、第１実施形態で説明した肩支持部１２と同様の機能を有する。穴部２３は、第１実施形態で説明した穴部１３と同様の機能を有する。
【００２７】
本実施形態では、第１実施形態と比較して、着丈方向における肩支持部２２の長さを、着丈方向における肩支持部１２の長さよりも長くしている。これにより、衣服用ハンガー２０は、例えば、襟ぐりの深さが襟ぐりの幅以上である衣服に用いることができる。本実施形態においても、第１実施形態と同様の効果を得ることができる。
【００２８】
（第３実施形態）
第３実施形態である衣服用ハンガーについて、図５を用いて説明する。図５は、衣服用ハンガーを示す正面図である。本実施形態の衣服用ハンガー３０は、第１実施形態である衣服用ハンガー１０や第２実施形態である衣服用ハンガー２０と同様に、本体部３１と、一対の肩支持部３２と、一対の肩支持部３２にそれぞれ形成された穴部３３とを有する。本体部３１は、第１実施形態で説明した本体部１１と同様の機能を有する。肩支持部３２は、第１実施形態で説明した肩支持部１２と同様の機能を有する。穴部３３は、第１実施形態で説明した穴部１３と同様の機能を有する。
【００２９】
肩支持部３２は、第２実施形態における肩支持部２２と同様に、着丈方向における肩支持部３２の長さを、着丈方向における肩支持部１２の長さよりも長くしている。これにより、衣服用ハンガー３０は、例えば、襟ぐりの深さが襟ぐりの幅よりも長い衣服に用いることができる。なお、着丈方向における肩支持部３２の長さを、着丈方向における肩支持部１２の長さと等しくすることもできる。
【００３０】
本体部３１は、この一部の領域において、身幅方向に膨らんだ膨出部３１ａを有する。膨出部３１ａでは、本体部３１の下方に向かって、身幅方向における長さが長くなっている。膨出部３１ａを設けることにより、所定位置（例えば、腰に相当する位置）よりも下方に広がる部分を有する衣服（例えば、ワンピースやコート）に対して、衣服ハンガー３０を用いることができる。膨出部３１ａの位置は、衣服の形状に応じて適宜決めることができる。衣服のうち、所定位置よりも下方に広がる部分を、膨出部３１ａに沿わせることにより、衣服の見栄えを向上させることができる。
【００３１】
なお、本実施形態では、本体部３１の下部に膨出部３１ａを設けているが、これに限るものではない。本体部３１のうち、膨出部３１ａを設ける位置は、適宜決めることができる。例えば、本体部３１の上部に膨出部３１ａを設けたり、着丈方向における本体部３１の中央部に膨出部３１ａを設けたりすることができる。また、膨出部３１ａは、本体部３１の一部の領域ではなく、肩支持部３２の一部の領域に設けることもできる。具体的には、各肩支持部３２の外側（一対の肩支持部３２の間に位置する側とは反対側）に位置する縁において、身幅方向に膨らんだ膨出部３１ａを設けることができる。着丈方向において、肩支持部３２に対して膨出部３１ａを設ける位置は、適宜決めることができる。膨出部３１ａは、本体部３１のうち、膨出部３１ａ以外の領域よりも身幅方向に膨らんでいればよく、この点を踏まえて、膨出部３１ａの具体的な形状を適宜決めることができる。
【００３２】
（第４実施形態）
第４実施形態である衣服用ハンガーについて、図６を用いて説明する。図６は、衣服用ハンガーを示す正面図である。本実施形態の衣服用ハンガー４０は、第１実施形態から第３実施形態で説明した衣服用ハンガー１０〜３０と同様に、本体部４１と、一対の肩支持部４２と、一対の肩支持部４２にそれぞれ形成された穴部４３とを有する。本体部４１は、第１実施形態で説明した本体部１１と同様の機能を有する。肩支持部４２は、第１実施形態で説明した肩支持部１２と同様の機能を有する。穴部４３は、第１実施形態で説明した穴部１３と同様の機能を有する。
【００３３】
本体部４１には、切り欠き部４１ａが設けられており、切り欠き部４１ａを設けることにより、身幅方向に延びる帯状部４１ｂ（図６の斜線で示す領域）が形成される。衣服用ハンガー４０は、カーディガンやコートなどの前面側が開く衣服であって、ベルト部を有する衣服に用いることができる。ここで、衣服のベルト部に対応する位置に帯状部４１ｂを位置させることができ、ベルト部によって帯状部４１ｂを隠すことができる。また、切り欠き部４１ａを設けることにより、前面側が開いた衣服から衣服用ハンガー４０が露出することを防止できる。
【００３４】
衣服用ハンガー４０の本体部４１には、第３実施形態で説明した膨出部３１ａを設けることができる。これにより、所定位置（例えば、腰に相当する位置）よりも下方に広がる部分を有する衣服に対して、膨出部３１ａを備えた衣服用ハンガー４０を用いることができる。
【符号の説明】
【００３５】
１０，２０，３０，４０：衣服用ハンガー、１１，２１，３１，４１：本体部、
１２，２２，３２，４２：肩支持部、１３，２３，３３，４３：穴部、３１ａ：膨出部、
４１ａ：切り欠き部、４１ｂ：帯状部、Ｓ：紐、Ｈ：フック、Ｔ：タグ
【図１】
2020168146.tif 000003
【図２】
2020168146.tif 000004
【図３】
2020168146.tif 000005
【図４】
2020168146.tif 000006
【図５】
2020168146.tif 000007
【図６】
2020168146.tif 000008
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
平板状に形成されており、衣服の内側に隠れて配置される衣服用ハンガーであって、
平板状に形成され、前記衣服の身幅方向に延びる本体部と、
平板状に形成され、前記本体部の上端から前記衣服の着丈方向に延びて前記衣服の両肩部をそれぞれ支持する一対の肩支持部と、
を有することを特徴とする衣服用ハンガー。
【請求項２】
前記一対の肩支持部は、前記衣服の襟ぐりを避ける位置に配置されることを特徴とする請求項１に記載の衣服用ハンガー。
【請求項３】
前記本体部又は前記肩支持部は、この一部の領域において身幅方向に膨らんだ膨出部を有することを特徴とする請求項１又は２に記載の衣服用ハンガー。
【請求項４】
前記衣服用ハンガーを吊るすための紐が固定される穴部を有しており、
前記穴部は、前記各肩支持部の先端であって、身幅方向における前記衣服用ハンガーの内側に位置する角部に設けられていることを特徴とする請求項１から３のいずれか１つに記載の衣服用ハンガー。
【手続補正２】
【補正対象書類名】明細書
【補正対象項目名】０００５
【補正方法】変更
【補正の内容】
【０００５】
本発明である衣服用ハンガーは、平板状に形成されており、衣服の内側に隠れて配置される。この衣服用ハンガーは、平板状に形成され、衣服の身幅方向に延びる本体部と、平板状に形成され、本体部の上端から衣服の着丈方向に延びて衣服の両肩部をそれぞれ支持する一対の肩支持部と、を有する。